(57)【特許請求の範囲】
【請求項１】
家具や調度品や腰掛けの受領用支持構造に対して布地を連結して取り付けるためのデバイスであって、
前記支持構造が、少なくとも１つの側部部材を備え、
該側部部材には、連結手段を挿通させるための開口区間を形成しつつジグザグ状の波形ワイヤストリップが取り付けられ、
前記デバイスが、前記布地（１）の１つまたは複数の外縁に対して取り付けられたプラスチック材料製のバンド（３）を具備し、
該バンドが、所定形状に成形されかつ該バンドに対して一体的なものとされた少なくとも１つのタブ（３ａ）を備え、
該タブが、前記支持構造の前記側部部材の対向壁に対して押圧され得るようなかつ前記側部部材と該側部部材に対して取り付けられた前記ストリップとの間の前記開口区間内に挿入され得るような支持クレイドル形状を有し、
前記バンドが、前記タブに対して連接された領域を備え、
該領域が、前記ストリップの前記波形部分から圧力を受け得るような動作領域を構成し、
これにより、前記タブが、前記側部部材に対しての対向位置にロックされ得るものとされていることを特徴とするデバイス。
【請求項２】
請求項１記載のデバイスにおいて、
前記バンド（３）が、前記布地（１）の前記外縁に沿ってオーバーモールされていることを特徴とするデバイス。
【請求項３】
請求項１記載のデバイスにおいて、
前記バンド（３）が、前記布地（１）の前記外縁に沿って縫い付けられた付設部材とされていることを特徴とするデバイス。
【請求項４】
請求項１〜３のいずれか１項に記載のデバイスにおいて、
前記バンド（３）が、少なくとも１つのタブ（３ａ）を有したモジュールの形態として構成されていることを特徴とするデバイス。
【発明の詳細な説明】
【０００１】
【発明の属する技術分野】
本発明は、例えば腰掛けや肘掛け椅子やベッドといったような、通常の家庭生活における日常的使用状況において使用可能であるだけでなく休暇時やレジャー用途で一時的にとかまた限定的にとかいったようにしても使用可能であるような、家具や調度品に関するものである。
【０００２】
言い換えれば、腰掛けや肘掛け椅子やベッドや同様の対象物は、キャンプやウォーキングや週末のレジャー活動における備品として、また、自宅用の通常の備品として、使用することができる。
【０００３】
【従来の技術および発明が解決しようとする課題】
従来技術においては、リクライニング肘掛け椅子（図１参照）として公知の腰掛けを形成する家具が、以前から知られている。この椅子は、互いに平行で剛直な２つの側部部材から構成されている。側部部材は、時には閉塞型Ｕ字形フレームから形成される。側部部材どうしの間には、弾性手段によって、布地が引き伸ばされて支持されている。特に、本出願人が長年にわたって販売しているような図１に示す実施形態においては、張力タイプのものからなる弾性手段が、布地のエッジのところにこの目的のために形成されている一連のアイレット（あるいは、紐穴、はとめ）と、側部部材上においてこの目的のために設けられたフック等と、を利用して設置され、これにより、アイレットとフックとの間にわたってジグザグパターンでもって張力手段が挿し通されている。実用的には、一連の複数のフックは、１つのジグザグ状波形ワイヤから形成され、側部部材の内方母線に対して複数の場所において溶接され、隣接する溶接部分の間に、張力手段や同タイプの他の取付手段を挿入するための開口を形成している。このような従来技術においては、支持フレームに対して布地を取り付けるための取付部材に関し、製造コストと組立コストとがかさむという問題点があった。明らかなように、アイレットとフック形状物とを通して張力手段を編むようにして挿し通すことは、時間のかかる細かな作業であり、全く効率的ではない。支持フレームがなす長さ方向平面の両側にわたってまず最初に一方向に挿し通し次に他の方向に挿し通すという手段を自動化マニピュレータアーム等によって実現することが困難であることにより、そのような作業は、人手によって行われている。しかしながら、構成上の利点は、布地に対して印加される張力が平衡化されることである。
【０００４】
Marga 氏によるイタリア国特許明細書第ＶＩ９４Ｕ００００４１号には、他の布地張力システムが開示されている。この場合、付加的なバーが、金属フレームの内部に固定され、織物または布地の側部エッジには、弾性紐が取り付けられている。弾性紐は、布地のエッジに形成された複数のアイレットを挿し通すことによって、および、上記バー上において隣接アイレットどうしの間の位置に配置された複数のフックにより保持されることによって、設置されている。この構成は、より複雑なものである。唯一の利点は、アイレットを挿し通すことによって弾性紐を供給することができ、その後、弾性紐のうちの、側部を変位し得る部分を、バー上の関連フック上に係止できることである。しかしながら、この構成は、かなり不満なものである。
【０００５】
【特許文献１】
イタリア国特許明細書第ＶＩ９４Ｕ００００４１号
【０００６】
【課題を解決するための手段】
したがって、本発明の目的は、従来技術と比較して製造が容易でありかつ操作者による取扱いが容易でありかつ製造コストが安価であるような、布地を取り付けたり連結したり配置したりするデバイスを考案して具現することである。
【０００７】
本発明の他の目的は、支持フレームに対して布地を容易に設置して連結し得ることに加えて、完全なロック機能またはオートロック（または、自己ロック）機能を行うことができ、これにより、腰掛けを絶対的に安全に使用可能とし得るような、デバイスを具現することである。
【０００８】
本発明の他の目的は、劣化時に、支持フレームによる布地支持性能を低減させることなく部分的な交換を行い得るような、デバイスを具現することである。
【０００９】
本発明の第１の特徴点は、家具や調度品や腰掛けの受領用支持構造に対して布地を連結して取り付けるためのデバイスに関するものであって、支持構造が、少なくとも１つの側部部材を備え、この側部部材には、連結手段を挿通させるための開口区間を形成しつつジグザグ状の波形ワイヤストリップが取り付けられている場合において、布地の１つまたは複数の外縁に対して取り付けられたプラスチック材料製のバンドを具備し、このバンドが、所定形状に成形されかつバンドに対して一体的なものとされた少なくとも１つのタブを備え、このタブが、支持構造の側部部材の対向壁に対して押圧され得るようなかつ側部部材とこの側部部材に対して取り付けられたストリップとの間の開口区間内に挿入され得るような支持クレイドル形状を有していること、および、バンドが、タブに対して連接された領域を備え、この領域が、ストリップの前記波形部分から圧力を受け得るような動作領域を構成していること、を特徴とするものであり、これにより、タブが、側部部材に対しての対向位置にロックされ得るものとされている。
【００１０】
上記の特徴点や他の特徴点は、以下の説明により、明瞭となるであろう。
【００１１】
【発明の実施の形態】
本発明の主題を明瞭なものとするため、添付図面において、本発明を何ら限定することなく図示を行う。
【００１２】
本発明の主題をより具体的なものとするために、以下、添付図面を参照しつつ、本発明を何ら制限することなく、説明する。
【００１３】
本発明の目的は、例えば腰掛けや椅子やベッド等といったような家具や調度品の一部にわたって張られ得るよう構成された布地（１）を連結して配置するためのデバイス（Ｄ）を提供することである。布地は、任意の形状のものとすることができるとともに、任意の適切な材料から形成されたものとすることができる。支持構造（２）は、１つまたは複数の側部部材（２ａ）とすることができる。側部部材は、チューブ状のものとすることもまたそれ以外のものとすることもでき、剛直であり、平行であり、閉塞型または開放型のものであり、フレームを形成することができ、エッジ上にかつ長さ方向中央内側母線上に、公知態様でもって、ジグザグした複数の波形（２ｃ）を有しているような連続ワイヤまたは不連続ワイヤの形態とされたストリップ（２ｂ）を有することができる。これら波形は、１つの平面内において、側部部材に対しての溶接や他の手段による連結のための複数の部分（２ｄ）を形成しているとともに、上記チューブまたは側部部材に対しての連結部分どうしの間に、通路または開口区間（２ｅ）を規定している。このような通路または開口区間（２ｅ）は、フック係合領域として機能することができる。
【００１４】
本発明の範囲を逸脱することのない変形例においては、支持構造は、木材や熱成形されたプラスチックや射出成型されたプラスチックから形成することができ、側部部材と関連するストリップとをこの実施形態中に直接的に組み込むことができる。ストリップ（２ｂ）の形態は、変更することができる。重要なことは、ストリップが、側部部材に対して、複数の貫通開口を形成することである。
【００１５】
本発明においては、デバイスは、プラスチック材料から形成されたバンド（３）を備えている。バンド（３）は、布地の外縁（１ａ，１ｂ）上にオーバーモールドされている。バンド（３）は、布地の外縁（１ａ，１ｂ）上に縫い付けたものとすることもできる。このバンドの端部には、対応するチューブ状側部部材の対向壁に向けて押圧されることとなるクレイドルを形成するよう構成された所定形状に成形されたタブ（３ａ）が設けられている。各タブ（３ａ）に連接された隣接平坦部（３ｂ）は、また、上記ストリップ（２ｂ）の対向非波形部分に対して押圧され得る動作領域として機能することができる。バンド（３）は、ただ１つのタブを有したモジュールの形態として構成することができる、あるいは、より長いものとされて、支持をもたらす側部部材に対して取り付けられたストリップ（２ｂ）における複数の波形の各通路内に形成された複数の開口区間（２ｅ）内に順次的に所定間隔でもって係合するための上記タイプの複数のタブを有した形態として構成することができる。また、タブ（３ａ）は、側部部材とバンドの一部との間において動作をもたらし得るよう、側部部材に対応した所定形状とされることに注意されたい。また、タブは、布地に対してオーバーモールドされたものとすることも、また、オーバーモールドされていないものとすることもでき、あるいは、布地に対して縫い付けられたものとすることもできる。
【００１６】
システムは、組立が極度に単純なものである。そのため、本発明は、従来技術において公知であるような張力手段や弾性紐の使用を、排除する。これにより、それら張力手段や弾性紐の取付に関する煩わしさを排除することができる。上記のようなクレイドル形状のタブの形態とされたバンドは、布地の長さに対応した長さでもって形成することができる、あるいは、適切なモジュールに適合させることができる。この実施形態において、取付を迅速に行うことができかつ容易に行うことができることは、図面から明らかなように、全く明瞭である。
【００１７】
組立状態においては、システムの構成は、剛直であり、堅固であり、ロックされる。操作者は、デバイスの複数のタブの中の１つを、連結解除して取り外すことができる。この場合にでも、デバイスは、安全なものである。バンドが連続的な射出成型によってあるいは熱成形によって製造され、所望長さへとカットされることにより、組立コストおよび製造コストは、ずっと低減される。バンドと、布地の各側部と、の間の連結は、超音波溶接や縫合や縫付等によって行われる。
【００１８】
例えば、複数のタブの中の１つが損傷して破損した場合には、対応箇所において布地からその破損タブを取り外すことによって、タブを容易に変更することができ、バンドの長さを容易に変更することができる。
【００１９】
本発明は、すべての使用やレジャーや他の状況において、例えば腰掛けや椅子やベッド等といったような家具や調度品に対して、多くの応用を有している。
【図面の簡単な説明】
【図１】  従来技術によるリクライニング椅子を示す斜視図である。
【図２】  本発明による、支持フレームに対して布地を適用するためのデバイスを、その一部を拡大して示す図である。
【図３】  支持フレームに対しての布地の配置を、張力位置において示す平面図である。
【図４】  下方から見たデバイスの配置を、その一部を拡大して示す図である。
【図５】  図６における５−５線に沿った部分断面図である。
【図６】  図５における６−６線に沿った部分断面図である。
【符号の説明】
１    布地
１ａ  外縁
１ｂ  外縁
２    支持構造
２ａ  側部部材
２ｂ  ストリップ
２ｅ  開口区間
３    バンド
３ａ  タブ
３ｂ  隣接平坦部（領域）
Ｄ    デバイス
【図１】
0004156969.tif 000002
【図２】
0004156969.tif 000003
【図３】
0004156969.tif 000004
【図４】
0004156969.tif 000005
【図５】
0004156969.tif 000006
【図６】
0004156969.tif 000007